(57)【要約】【課題】粉化を高度に抑制した粒状肥料を提供する。【解決手段】甲殻類質物質を含有してなることを特徴とする粒状肥料。甲殻類質物質と石灰窒素を含み、尿素をバインダーとしてなることを特徴とする粒状肥料。【選択図】  なし【特許請求の範囲】
【請求項１】
甲殻類質物質を含有してなることを特徴とする粒状肥料。
【請求項２】
甲殻類質物質と石灰窒素を含み、尿素をバインダーとしてなることを特徴とする粒状肥料。
【発明の詳細な説明】
【０００１】
【発明の属する技術分野】
本発明は、甲殻類質物質を含んでなる粒状肥料に関する。
【従来の技術】
【０００２】
粒状石灰窒素、又はこれに他の肥料成分を含んでなる粒状肥料には、粉状肥料に比べて、散布時の飛散による肥料損失や、付近の他の作物への被害が少ない等の利点から賞用されている。
【０００３】
石灰窒素に他の肥料成分を含んでなる粒状肥料は、粉状の石灰窒素を水系バインダー添加して造粒する転動造粒法、又は粉状の石灰窒素を尿素などのバインダーを用いて加圧成形する圧縮造粒法によって製造される（特許文献１）。これらには一長一短がある。転動造粒法では、球形の粒が得られるが、石灰窒素の主成分であるシアナミド窒素分の損失が大きいという欠点がある。圧縮造粒法では、シアナミド窒素分の損失は少なく石灰窒素の効果を引き出すのに最も好ましい造粒法であるが、成型時の形状がペレット状であると、球状の造粒物に比べ、経時的に粉化しやすい欠点がある。
【０００４】
しかしながら、いずれの造粒法にあっても、得られた粒状肥料は保存状態が悪いと保存中に粉化するので、保存には吸湿させないなどの細心の注意が必要であった。そこで粉化防止を改善するため、これまでに天然パラフィン、ピッチ、ステアリルアルコール等の滑剤を添加する（特許文献２）などの多くの提案がなされてきたが、これといった決め手がない状況である。
【特許文献１】
特公昭４７−１３０８５号公報
【特許文献２】
特開平１０−１３８１号公報
【０００５】
【発明が解決しようとする課題】
本発明の目的は、経時粉化を高度に抑制した粒状肥料を提供することである。本発明の目的は、肥料原料に甲殻類質物質を混ぜて造粒することによって達成することができる。
【０００６】
【課題を解決するための手段】
すなわち、本発明は、甲殻類質物質を含んでなることを特徴とする粒状肥料である。また、本発明は、甲殻類質物質と石灰窒素を含み、尿素をバインダーとしてなることを特徴とする粒状肥料である。
【０００７】
【発明の実施の形態】
以下、更に詳しく本発明について説明する。
【０００８】
本発明が対象としている粒状肥料の肥料成分には、何ら制約はない。それを例示すると、硫安、硝安、塩安、尿素、粉状石灰窒素、粒状石灰窒素、水和（スレーク）石灰窒素、過りん酸石灰、重過りん酸石灰、熔成りん肥、焼成りん肥、りん酸アンモニウム、重焼りん、苦土過りん酸、骨灰、骨炭粉末、塩化カリ、硫酸カリ、硝酸カリから選ばれた肥料の一種又は二種以上である。
【０００９】
本発明で用いられる甲殻類質物質とは、カニ、エビ、シャコなどの殻や、シオムシなどの甲殻類、更には海獣以外の水産動物又はその処理物、例えばカニカス、干エビ、ヒトデカス、イカ軟骨などである。中でも、カニ殻が、土壌改良効果、病害抑制効果がある（農業技術体系  土壌施肥編，農山漁村文化協会，１９９０，１９９２年）ので、本発明には好適となる。甲殻類質物質の含水率は多くとも水分率１７質量％以下で、粒度２ｍｍ以下の割合が８０質量％以上であることが好ましい。
【００１０】
甲殻類質物質の含有量は、粒状肥料中に３〜２５質量％含まれるのが好ましく、３質量％未満では粉化抑制効果が充分ではなく、また２５質量％を超えると造粒性が悪化する。
【００１１】
圧縮造粒法で採用されるバインダーとしては、尿素、デキストリン、ゼラチン、ポリビニルアルコール、カルボキシメチルセルロース、リグニン、コーンスターチ、廃糖蜜、水、水ガラス等があるが、特に尿素が好適である。尿素は、バインダーであると同時に肥料成分であり、肥料成分の配合物を粒状化するだけでなく、配合することで窒素の含有率を高めることができる。
【００１２】
バインダーの使用量は、粒状肥料中に５〜３０質量％含まれるのが好ましく、５質量％未満では得られた造粒物の強度が充分ではなく、また３０質量％を超えると加圧する際の流動性が極端に高まり造粒性が悪化する。
【００１３】
圧縮造粒法の造粒機としては、加圧と造粒が同時にできるものが好ましい。これには、スクリュウー型・回転多孔ダイス・回転ブレード等の押出し造粒機、圧縮ロール・ブリケッティングロール・打錠等の圧縮造粒機を例示することができる。転動造粒法の造粒機としては、通常のパン型造粒機等が使用される。
【００１４】
粒状肥料の形状には、球形、円筒形、塊状などいずれでも良く、大きさは短径１〜４ｍｍ、長径２〜１０ｍｍのものが例示される。
【００１５】
【実施例】
以下、実施例、比較例をあげて更に具体的に本発明を説明する。
【００１６】
実施例１  比較例１
硫安４８質量％、熔成りん肥２０質量％、塩化カリウム１６質量％、消石灰３質量％、カニ殻（粒度２ｍｍ以下８５質量％以上、含水率１０質量％）１３質量％の混合物を、押し出し造粒機により、直径約３ｍｍ、長さ約５ｍｍのペレット状の造粒物に押し出し成形した。比較のため、カニ殻１３質量％を消石灰（合計で１６質量％となる）としたこと以外は、同様にして造粒物を製造した。
【００１７】
実施例２  比較例２
あらかじめ水和した粉状の石灰窒素を４８質量％、熔成りん肥２０質量％、塩化カリウム１６質量％、カニ殻（実施例１と同じ）１６質量％の混合物を、水をバインダーとし、パン型造粒機を用いた転動造粒により、直径約２〜４ｍｍの球状の造粒物を製造した。比較のため、カニ殻１６質量％を消石灰としたこと以外は、同様にして造粒物を製造した。
【００１８】
実施例３  比較例３
粉状の石灰窒素２３質量％、熔成りん肥３５質量％、塩化カリウム１７質量％、尿素１２質量％、消石灰３質量％、カニ殻（粒度２ｍｍ以下９５質量％以上、含水率６質量％）１０質量％の混合物を、押し出し造粒機により、直径約３ｍｍ、長さ約５ｍｍのペレット状の造粒物を製造した。比較のため、カニ殻１０質量％を消石灰（合計で１３質量％となる）としたこと以外は、同様にして造粒物を製造した。
【００１９】
実施例４  比較例４
あらかじめ水和した石灰窒素８０質量％とカニ殻（粒度２ｍｍ以下９５質量％以上、含水率１３質量％）２０質量％の混合物を、水をバインダーとし、パン型造粒機を用いた転動造粒によって、直径約２〜４ｍｍの球状の造粒物を製造した。比較のため、カニ殻のかわりに消石灰を用いたこと以外は、同様にして造粒物を製造した。
【００２０】
実施例５
カニ殻のかわりにエビ殻（粒度２ｍｍ以下９５質量％以上、含水率１０質量％）を用いたこと以外は、実施例４と同様にして造粒物を製造した。
【００２１】
参考例１
粉状の石灰窒素２３．５質量％、熔成りん肥４８．５質量％、塩化カリウム１７質量％、尿素１０質量％、ステアリルアルコール１質量％を押し出し造粒機により、直径約３ｍｍ、長さ約５ｍｍのペレット状の造粒物を製造した。
【００２２】
得られた粒状肥料について、以下に従う粉化促進試験を行い、粉化率を測定した。それらの結果を表１に示す。表１から、本発明の粒状肥料は粉化が著しく抑制されることが分かる。
【００２３】
粉化促進試験
試料２５０ｇを０．３ｍｍふるいに入れ、造粒時に混入した粉を除くため自動ふるいにて３分間処理して０．３ｍｍ以下の粉を除去した。その後、自動ふるいにて１０分間処理し、発生した０．３ｍｍ以下の粉の質量％を測定し、促進試験前の粉化率とした。ついで、別の試料２５０ｇを採取し、上記と同様にして、造粒時に混入した０．３ｍｍ以下の粉を除去した後、ポリエチレン袋に入れ袋の口を加熱圧着し閉じ、温度３５℃、湿度８５％の恒温恒湿室内で４日間保存した。この試料を自動ふるいにて１０分間処理し、発生した０．３ｍｍ以下の粉の質量％を測定し、促進試験後の粉化率とした。
【００２４】
【表１】
2004149323.tif 000002
【００２５】
つぎに、実施例３又は比較例３で製造された肥料肥料と、表層腐植質黒ボク土とを混合・撹拌し、内径１１．３ｃｍ、高さ６．５ｃｍの１万分の１アールポットに入れた。肥料は、窒素成分２０ｋｇ／１０アール、りん酸成分１４ｋｇ／１０アール、カリ成分２０ｋｇ／１０アールになるように施用し、肥料効果確認試験を行った。試験は、土壌の最大容水量の６０％になるように水を注ぎ、１週間静置後、コマツナ種子をポットに播種し、１週間後の発芽率を調査した。灌水は適宜行った。３週間後、生育量を調べるため地上部質量を測定した。これらの測定値の３０個体の平均値を表２に示す。
【００２６】
【表２】
2004149323.tif 000003
【００２７】
表２から、実施例３と比較例３の粒状肥料との間には、発芽率の差異はないので、本発明の粒状肥料には甲殻類質物質を含有していても野菜の生育にはなんら悪影響を与えないことが示された。
【００２８】
【発明の効果】
本発明によれば、粉化を高度に抑制した粒状肥料が提供される。